(57)【要約】【課題】制御対象及び動作内容を選択可能なメニュー項目と、動画像や静止画像のコンテンツとを同時に表示することができるとともに、操作性向上が図れる表示装置を提供する。【解決手段】モニタ２３の第１の端部側２３−１に制御対象を示す複数の選択可能な項目を配列・表示し、また第１の端部側２３−１と略直交する第２の端部側２３−２に動作内容を示す複数の選択可能な項目を配列・表示し、さらに詳細な設定がある場合には第１の端部側２３−１と略平行な第３の端部側２３−３に詳細な選択項目を配列・表示し、また第３の端部側２３−３と略直交する第４の端部側２３−４に詳細な選択項目を配列・表示する。これにより、モニタ２３の第１〜第４の端部側２３−１〜２３−４を除く表示領域に動画像や静止画像のコンテンツを表示することができる。また、制御対象を示す項目と動作内容を示す項目とに分けることで制御対象と動作内容を分けることができるので、操作性向上が図れる。【選択図】図２
2010079767.tif 000002
【特許請求の範囲】
【請求項１】
表示部を備え、
制御対象を示す複数の選択可能な項目を前記表示部の第１の端部側に配列・表示し、
前記制御対象を示す複数の選択可能な項目のうちいずれか１つが選択されることにより、選択された項目に関連する動作内容を示す複数の選択可能な項目を前記表示部の前記第１の端部側と略直交する第２の端部側に配列・表示する表示装置。
【請求項２】
前記動作内容を示す複数の選択可能な項目のうちいずれか１つが選択されることにより、選択された項目に関連する複数の選択可能な詳細項目を前記表示部の前記第１の端部側と略平行な第３の端部側に配列・表示する請求項１に記載の表示装置。
【請求項３】
前記動作内容を示す複数の選択可能な項目のうちいずれか１つが選択されることにより、選択された項目に関連する複数の選択可能な詳細項目を前記表示部の前記第２の端部側と略平行な第４の端部側に配列・表示する請求項１または２に記載の表示装置。
【請求項４】
前記複数の選択可能な項目のうちいずれか１つが選択されることにより、選択された項目のカテゴリーに属する複数の選択可能な項目を、前記選択された項目の配列に重なるように配列・表示する請求項１〜３のいずれかに記載の表示装置。
【発明の詳細な説明】
【技術分野】
【０００１】
本発明は、画面に表示されたアイテムを選択することで制御対象の選択や動作内容の選択を可能とするユーザインタフェースを備えた表示装置に関する。
【背景技術】
【０００２】
従来、上述したユーザインタフェースを備えた表示装置として、例えば特許文献１や特許文献２で開示されたものがある。図１１は、特許文献１で開示されたテレビセット１００のメニュー画面を示す図である。図１１に示すように、テレビセット１００の表示画面１０１には、テレビ（TV）、ピクチャ（Picture）、音（Sound）、機能（Feature）の第１のアイテムのメニューストリング１０２が表示され、このメニューストリング１０２で所望のアイテムを選択することで、選択したアイテムに対応して、第１の方向と交差する第２のアイテムのメニューストリング１０３が表示される。例えば、第１のアイテムのメニューストリング１０２においてテレビが選択された場合、テレビに対応する第２のアイテムのメニューストリング１０３が表示される。このとき、インストール（Install）、セットアップ（Setup）、ＶＣＲ（Video Cassette Recorder）の各アイテムが表示される。
【０００３】
また、図１２は特許文献２で開示されたマルチメディア装置の表示画面を示す図である。図１２に示すように、表示画面１１０には、再生できるメディアの種類を示した複数のメディアアイコンからなるメディアアイコン配列１１１と、再生できるコンテンツの項目を示した複数のコンテンツアイコンからなるコンテンツアイコン配列１１２とが表示画面１１０の略中央において交差させる形で表示される。
【０００４】
【特許文献１】特表２００１−５２２５７０号公報
【特許文献２】特開２００４−３５６７７４号公報
【発明の開示】
【発明が解決しようとする課題】
【０００５】
しかしながら、上述した従来のメニュー表示方法においては、略画面全体を使用することから動画像や静止画像のコンテンツを表示することができないという問題がある。また、制御対象と動作内容が混在していて操作性が悪いという問題もある。例えば図１１の場合は、テレビ（TV）とＶＣＲはそれぞれ制御対象であり、インストールとセットアップはそれぞれ動作内容である。
【０００６】
本発明は、係る事情に鑑みてなされたものであり、制御対象及び動作内容を選択可能なメニュー項目と、動画像や静止画像のコンテンツとを同時に表示することができるとともに、操作性向上が図れる表示装置を提供することを目的とする。
【課題を解決するための手段】
【０００７】
本発明の表示装置は、表示部を備え、制御対象を示す複数の選択可能な項目を前記表示部の第１の端部側に配列・表示し、前記制御対象を示す複数の選択可能な項目のうちいずれか１つが選択されることにより、選択された項目に関連する動作内容を示す複数の選択可能な項目を前記表示部の前記第１の端部側と略直交する第２の端部側に配列・表示する。
【０００８】
上記構成によれば、表示部の第１の端部側に制御対象を示す複数の選択可能な項目を配列・表示し、第１の端部側と略直交する第２の端部側に動作内容を示す複数の選択可能な項目を配列・表示するので、表示部の第１の端部側と第２の端部側を除く表示領域に動画像や静止画像のコンテンツを表示することができる。すなわち、制御対象及び動作内容を選択可能なメニュー項目と、動画像や静止画像のコンテンツとを同時に表示することが可能となる。また、制御対象を示す項目と動作内容を示す項目とに分けることで、制御対象と動作内容が混在することがなくなり、メニューの操作性向上が図れる。
【０００９】
また、上記構成において、前記動作内容を示す複数の選択可能な項目のうちいずれか１つが選択されることにより、選択された項目に関連する複数の選択可能な詳細項目を前記表示部の前記第１の端部側と略平行な第３の端部側に配列・表示する。
【００１０】
上記構成によれば、表示部の第１の端部側と略平行な第３の端部側に動作内容を示す項目に関連する複数の選択可能な詳細項目を配列・表示するので、第１の端部側〜第３の端部側を除く表示領域に動画像や静止画像のコンテンツを表示することができる。
【００１１】
また、上記構成において、前記動作内容を示す複数の選択可能な項目のうちいずれか１つが選択されることにより、選択された項目に関連する複数の選択可能な詳細項目を前記表示部の前記第２の端部側と略平行な第４の端部側に配列・表示する。
【００１２】
上記構成によれば、表示部の第２の端部側と略平行な第４の端部側に動作内容を示す項目に関連する複数の選択可能な詳細項目を配列・表示するので、第１の端部側〜第４の端部側を除く表示領域に動画像や静止画像のコンテンツを表示することができる。
【００１３】
本発明の表示装置は、表示部を備え、複数の選択可能な項目を前記表示部の一端部側に配列・表示し、前記複数の選択可能な項目のうちいずれか１つが選択されることにより、選択された項目のカテゴリーに属する複数の選択可能な項目を、前記選択された項目の配列に重なるように配列・表示する。
【００１４】
上記構成によれば、表示部の一端部側に複数の選択可能な項目を配列・表示するとともに、選択された項目のカテゴリーに属する複数の選択可能な項目を、前記選択された項目の配列に重なるように配列・表示するので、表示部の一端部側を除く表示領域に動画像や静止画像のコンテンツを表示することができる。また、制御対象の機器や動作内容の詳細選択項目が増えた場合でも、それらを上位概念でカテゴライズした状態でメニュー項目とすることにより、選択項目の数が増えすぎることなく簡単に表示することができる。また、選択クリックすることで階層が変わるので、上位概念から下位概念へと選択操作を連続して行うことができ、目的の項目に容易にたどり着くことが出来るという点でも操作性向上が図れる。
【発明の効果】
【００１５】
本発明は、制御対象及び動作内容を選択可能な項目と動画像や静止画像のコンテンツを同時に表示することができるとともに、操作性向上が図れる表示装置を提供できる。
【発明を実施するための最良の形態】
【００１６】
以下、本発明を実施するための好適な実施の形態について、図面を参照して詳細に説明する。
【００１７】
（実施の形態１）
図１は、本発明の実施の形態１に係る表示装置の概略構成を示すブロック図である。図１において、本実施の形態の表示装置２０は、入力される動画像や静止画像を取り込む画像入力部２１と、画像入力部２１に入力された画像を記憶する記憶部２２と、記憶部２２に記憶された画像をモニタ（表示部）２３に表示するための表示制御部２４と、記憶部２２及び表示制御部２４を制御する制御部２５と、キー操作やマウス操作などによる入力指示を受け付ける入力部２６とを備えて構成される。制御部２５は、本実施の形態の表示装置２０を適用した機器（例えばテレビ）を操作する入力指示があると、モニタ２３に“操作表示”を行う。また、制御部２５は、外部インターフェース２７を通じて、外部機器（例えば、ＤＶＤレコーダ、デジタルカメラ、ビデオカメラ等）に入力指示に対応した操作信号を出力する。したがって、入力指示に基づいて外部機器を制御することが可能である。このようなインターフェースとしては、例えばＨＤＭＩ（High-Definition Multimedia Interface）などがある。以下、この“操作表示”の詳細を図２及び図３を参照して説明する。
【００１８】
図２及び図３は、本実施の形態の表示装置２０の操作表示を説明するための図である。図２（ａ）において、表示部のうち、グループ選択表示Ｓ０、制御対象の選択項目Ｓ１，動作内容の選択項目Ｓ２が占める領域がメニュー表示領域であり、その他の領域がコンテンツ表示領域である。グループ選択表示Ｓ０がクリックされると、表示制御部２４は、モニタ２３の第１の端部側２３−１に、クリック操作により選択されたグループに対応する制御対象を示す複数の選択可能な項目Ｓ１を配列・表示し、グループ選択表示Ｓ０に対するクリック操作を行う度にグループが切り替わる。グループは少なくとも１つあり、例えば、
（１）  テレビ、ＤＶＤ、デジタルカメラ、ビデオカメラ等の機器を制御対象とする“ビデオコミュニケーション”グループ、
（２）  携帯電話、インターネット端末、カーナビ、ｅ−モバイル等の機器を制御対象とする“モバイルネットワークナビゲーション”グループ、
（３）  洗濯機、見守り、エアコン、冷蔵庫、照明、健康等の機器を制御対象とする“ホームライフ＆コントロール”グループなどがある。なお、表示制御部２４の制御動作は制御部２５の指示のもとで行われるが、制御部２５が行う制御についての記載は省略する。
【００１９】
表示された項目Ｓ１に対し、ユーザがキーボードやタッチパネル、あるいはマウスや十字キー等のポインティングデバイスを使用して所望の１つを選択する。例えば、項目Ｓ１−３を選択した場合、表示制御部２４は、項目Ｓ１−３に関連する動作内容を示す複数の選択可能な項目Ｓ２をモニタ２３の第１の端部側２３−１と略直交する第２の端部側２３−２に配列・表示する。例えば制御対象として項目Ｓ１−３“ＤＶＤ”が選択された場合、複数の選択可能な項目Ｓ２には、“録画した動画を見る”、“ダビング”、“録画予約”などの動作内容が含まれる。表示された各動作内容のうち１つをユーザが選択する。
【００２０】
図２（ｂ）に示すように、項目Ｓ２−２“ダビング”が選択された場合、表示制御部２４は、選択された項目Ｓ２−２（ダビング）に関連する制御対象を示す複数の選択可能な項目Ｓ３を第１の端部側２３−１に配列・表示する。例えば、ダビング元の機器として“ＨＤＤから”、“ＢＤ／ＤＶＤから”、“メモリカードから”などの制御対象機器の選択項目が、「ダビング元を選択してください」というメッセージと共に、第１の端部側２３−１に表示される。ユーザがこの項目Ｓ３を見て、そのうちいずれか１つを選択する。このとき図２（ｃ）に示すように項目Ｓ３−２（ＢＤ／ＤＶＤから）を選択した場合、表示制御部２４は、ダビング先の機器として“ＨＤＤへ”、“ＢＤ／ＤＶＤへ”、“メモリカードへ”などの制御対象機器の選択項目Ｓ４を、「ダビング先を選択してください」というメッセージと共に、第１の端部側２３−１に列・表示する。ユーザがこの項目Ｓ４を見て、そのいずれか１つを選択する。例えばダビング先の機器として項目Ｓ４−１“ＨＤＤへ”が選択された場合、制御部２５は、外部インターフェース２７を通じて、外部機器２９にダビングの制御信号を送る。そして、制御信号を受けた外部機器２９が、ダビング動作を開始する。
【００２１】
このように、機器などの制御対象を示す選択項目を第1の端部側に表示し、動作内容を示す選択項目を第２の端部側に表示するメニュー構造となっていることにより、ユーザにとって操作感が統一され、一定の規則に従って操作してゆくことで、所望の操作を実行することができる。また、メニュー表示領域を表示部の端部側にしているため、コンテンツ表示領域においてＴＶやＤＶＤコンテンツを再生しながら、メニュー操作を行うことができる。また、モニタ２３の大きさに制約を受けることなく、メニュー項目のレイアウトを統一することができ、操作感覚を統一することが可能となるため、様々な機器に適用可能である。
【００２２】
なお、上記の例において、表示制御部２４は、“ダビング元：ＢＤ／ＤＶＤ  ⇒  ダビング先：ＨＤＤ”等の表示を設定確認表示として、コンテンツ表示領域に表示させてもよい。この場合は、ユーザが設定内容を改めて再確認することができ、操作ミスを減らすことができるというメリットがある。
【００２３】
図３は、グループ選択表示Ｓ０として「ホームライフ＆コントロール」を選択した例である。図３に示す例では、制御対象を示す選択項目Ｓ６として、“風呂”、“エアコン”、“照明”、“ドアホン”、“エネルギー”が表示部の第１の端部側に表示されている。ユーザが項目Ｓ５−２（エアコン）を選択した場合、表示制御部２４は、項目Ｓ５−２に関連する動作内容を示す複数の選択可能な項目Ｓ６を第２の端部側に配列・表示する。選択項目Ｓ６において、さらに詳細な選択項目がある場合、詳細な選択項目Ｓ７及びＳ８の表示が可能になっている。例えば、動作内容として項目Ｓ６−３“マニュアルモード”が選択された場合、図３に示すように、表示制御部２４は、選択された項目Ｓ６−３に関連する複数の選択可能な詳細項目Ｓ７をモニタ２３の第１の端部側２３−１と略平行な第３の端部側２３−３に、詳細項目Ｓ８をモニタ２３の第３の端部側２３−３と略直交する第４の端部側２３−４に配列・表示する。選択項目Ｓ７は、モニタ２３に対し水平方向に表示されているので、詳細な時間軸の設定を行うのに適している。図３では、タイマー設定の例を示している。選択項目Ｓ８は、モニタ２３に対し垂直方向に表示されているので、詳細な上下または高低の設定を行うのに適している。図３では、温度設定の例を示している。ユーザが選択項目Ｓ７、Ｓ８の選択を完了すると、制御部２５は、外部インターフェース２７を通じて、エアコン（図示せず）に制御信号を送る。
【００２４】
このように、制御対象の選択項目、動作内容の選択項目に加え、さらに詳細な設定がある場合には、第１の端部側２３−１と略平行な第３の端部側２３−３に詳細な時間軸の選択項目を配列・表示し、また第３の端部側２３−３と略直交する第４の端部側２３−４に詳細な上下または高低の選択項目を配列・表示することができるので、表示部の中央部にコンテンツ表示領域を確保しながら、詳細なメニュー設定を操作性よく行うことができる。
【００２５】
（実施の形態２）
本発明の実施の形態２に係る表示装置は、図１に示す実施の形態１に係る表示装置２０と操作表示に違いがある以外は同様の構成を採るので、図１を援用することとする。また、本実施の形態に係る表示装置と実施の形態１に係る表示装置２０とを区別するために、本実施の形態に係る表示装置には符号２０Ａを付ける。以下、本実施の形態に係る表示装置２０の操作表示を説明する。
【００２６】
図４〜図６は、本実施の形態に係る表示装置２０Ａの操作表示を説明するための図である。図４（ａ）に示すように、グループ選択表示Ｓ０により機器グループが指定されると、表示制御部２４は、モニタ２３の第１の端部側２３−１に制御対象を示す複数の選択可能な項目Ｓ１を配列・表示する。項目Ｓ１が表示された状態でユーザが項目Ｓ１−３を選択クリックとすると、図４（ｂ）に示すように、表示制御部２４は、選択された項目Ｓ１−３のカテゴリーに属する制御対象を示す複数の選択項目Ｓ３を第１の端部側２３−１に一部が重畳するように表示する。このとき、選択された項目Ｓ１のＳ１−３以外は、選択された項目Ｓ１−３の裏側に積層された状態になる。また、このとき選択肢が多いと、図４（ｃ）に示すように、表示制御部２４は、項目Ｓ３を横方向に自動スクロールする。
【００２７】
項目Ｓ３が表示された状態でユーザが例えば項目Ｓ３−１を選択クリックとすると、図４（ｄ）に示すように、表示制御部２４は、選択された項目Ｓ３−１のカテゴリーに属する制御対象を示す複数の選択項目Ｓ４を第１の端部側２３−１に一部が重畳するように表示する。このとき、選択された項目Ｓ３のＳ３−１以外は、選択された項目Ｓ３−１の裏側に積層された状態になる。また、このとき選択肢が多いと、図５（ｅ）に示すように、表示制御部２４は、項目Ｓ４を横方向に自動スクロールする。
【００２８】
項目Ｓ４が表示された状態でユーザが項目Ｓ４−１を選択クリックとすると、図５（ｆ）に示すように、表示制御部２４は、選択された項目Ｓ４−１のカテゴリーに属する制御対象を示す複数の選択項目Ｓ５を第１の端部側２３−１に一部が重畳するように表示する。このとき、選択された項目Ｓ４のＳ４−１以外は、選択された項目Ｓ４−１の裏側に積層された状態になる。また、このとき選択肢が多いと、図５（ｇ）に示すように、表示制御部２４は、項目Ｓ５を横方向に自動スクロールする。
【００２９】
項目Ｓ５が表示されている状態で、ユーザが例えば項目Ｓ５−１を選択したとすると、表示制御部２４は、図５（ｈ）に示すように、ユーザが選択した項目Ｓ５−１に関連する動作内容を示す複数の選択可能な項目Ｓ６をモニタ２３の第１の端部側２３−１と略直交する第２の端部側２３−２に配列・表示する。ユーザがこの項目Ｓ６を見て、そのうちいずれか１つを選択する。このとき図６（ｊ）に示すように項目Ｓ６−２を選択したとすると、表示制御部２４は、項目Ｓ６−２のカテゴリーに属する動作内容を示す複数の選択可能な項目Ｓ７を配列・表示する。このとき、選択肢が多いと、図６（ｋ）に示すように、表示制御部２４は、項目Ｓ７を縦方向に自動スクロールする。そして、ユーザがこの項目Ｓ７を見て、そのいずれか１つを選択する。このとき項目Ｓ７−１を選択したとすると、図６（ｌ）に示すように、選択された項目Ｓ７のＳ７−１以外は、選択された項目Ｓ７−１の裏側に積層された状態になる。
【００３０】
このように、選択可能な項目を階層構造とし、モニタ２３の第１の端部側２３−１と第２の端部側２３−２のそれぞれに複数の選択可能な項目を配列・表示するとともに、選択された項目のカテゴリーに属する複数の選択可能な項目をモニタ２３の第１の端部側２３−１と第２の端部側２３−２のそれぞれに一部が重畳するように表示するので、実施の形態１による効果に加え、制御対象の機器や動作内容の詳細選択項目が増えた場合でも、それらを上位概念でカテゴライズした状態でメニュー項目とすることにより、選択項目の数が増えすぎることなく簡単に表示することができる。また、選択クリックすることで階層が変わるので、上位概念から下位概念へと選択操作を連続して行うことができ、目的の項目に容易にたどり着くことが出来るという点でも操作性向上が図れる。また、モニタ２３の型（大型、小型）に関係なく同一の操作が可能である。
【００３１】
なお、上記実施の形態２では、モニタ２３の第１の端部側２３−１と第２の端部側２３−２のそれぞれにおける項目の階層構造において、現在どの階層にいるのか直感的に知ることができないが、例えば図７に示すように、階層毎に色分けすることで、現在どの階層にいるのか直感的に知ることができ、さらに操作性を向上させることができる。
【００３２】
次に、本発明の効果を明確にするために行った実施例について説明する。
（実施例１）
図８は、本発明の実施例１の操作表示を説明するための図である。図８において、本実施例は、グループ選択が“ビデオコミュニケーション”の例である。モニタ２３の第１の端部側には、“テレビ”、“ＤＶＤ”、“デジカメ”、“ムービー”等の機器を選択可能な項目として表示している。この状態で、例えば“ＤＶＤ”が選択クリックされると、モニタ２３の第１の端部側と略直交する第２の端部側に“録画した動画を見る”、“ダビング”、“録画予約”、“撮影したビデオを見る”、“他の機器へ”等の動作内容を選択可能な項目として表示する。そして、この動作内容の中で“ダビング”が選択クリックされると、“ダビング”に関連する制御対象の選択項目、例えばダビング元とダビング先の制御対象機器として“ＨＤＤからＤＶＤ．Ｒ/ＲＷへ”、“ＨＤＤからＢＤ．Ｒ/ＲＥへ”等の選択項目をモニタ２３の第１の端部側に表示する。この中で“ＨＤＤからＢＤ．Ｒ/ＲＥへ”が選択クリックされると、これらの制御対象（ＨＤＤおよびＢＤ．Ｒ/ＲＥ）に関連する動作内容の選択項目、例えば“ぴったり録画”、“詳細ダビング”等の選択項目をモニタ２３の第２の端部側に表示する。この中で、“詳細ダビング”が選択クリックされると、さらにダビング対象のコンテンツを選択するため、コンテンツ表示領域に動画コンテンツのサムネイルが表示される。
【００３３】
なお、本実施例では、ダビング元とダビング先の機器を制御対象として第１の端部側に配列・表示したが、ダビング元とダビング先の設定は、ダビング動作の詳細設定として、第２の端部側に配列・表示しても良い。例えば図４〜図６に示した実施形態のように、選択項目“ダビング”の下方に縦方向に重ねて選択項目を設けても良い。このように、「制御対象を示す選択項目」と「動作内容を示す選択項目」は必ずしも排他的なものではない。
【００３４】
（実施例２）
図９は、本発明の実施例２の操作表示を説明するための図である。図９において、本実施例は、グループ選択が“モバイルネットワークナビゲーション”の例である。モニタ２３の第１の端部側には、“携帯電話”、“インターネット端末”、“カーナビ”、“ｅ−モバイル”、“ＧＰＳ携帯”等の機器を選択可能な項目として表示している。この状態で、例えば“インターネット端末”が選択クリックされると、“インターネット端末”に関連する動作内容の選択項目、すなわち“画像配信”、“地図配信”、“ニュース配信”、“イベント配信”、“ゲーム配信”をモニタ２３の第１の端部側と略直交する第２の端部側に表示する。そして、この状態で例えば“地図配信”が選択クリックされると、モニタ２３の第２の端部側に、“宿泊施設の地図配信”、“研修センターの地図配信”、“販売会社の地図配信”、“サービス会社の地図配信”等の“地図配信”のカテゴリーに属するさらに詳細な選択項目を縦方向に重ねて表示する。そして、これらの動作内容の中で“宿泊施設の地図配信”が選択クリックされると、“宿泊施設の地図配信”のカテゴリーに属するさらに詳細な選択項目すなわち“東京丸の内ホテル”、“名古屋トヨホテル”、“大阪梅田ホテル”を縦方向に重ねて表示する。
【００３５】
（実施例３）
図１０は、本発明の実施例３の操作表示を説明するための図である。図１０において、本実施例は、グループ選択が“ホームライフ＆コントロール”の例である。モニタ２３の第１の端部側には、“洗濯機”、“見守り”、“エアコン”、“冷蔵庫”、“照明”、“健康”等の制御対象を表示している。本実施例では、“洗濯機”、“エアコン”、“冷蔵庫”などの具体的な機器と、“見守り”、“健康”などの機器カテゴリーを、共に制御対象として表示している。この状態で、例えば“見守り”が選択クリックされると、“見守り”のカテゴリーに属する複数の選択可能な項目すなわち“玄関ドアホン”、“外部カメラ”、“見守りケイタイ”、“介護ベッド”、“通報装置”をモニタ２３の横方向の一端部側に一部が重畳するように表示する。そして、この状態で例えば”外部カメラ”が選択クリックされると、モニタ２３の第１の端部側と略直交する第２の端部側に“夜間のデータ確認”、“異常の確認”、“外部カメラＡを見る”、“外部カメラＢを見る”、“一週間のデータ確認”等の動作内容を表示する。本実施例では、“外部カメラＡを見る”、“外部カメラＢを見る”などの具体的な動作内容と、“夜間のデータ確認”、“異常の確認”などの動作カテゴリーを、共に動作内容として表示している。そして、この動作内容の中で“異常の確認”が選択クリックされると、“異常の確認”のカテゴリーに属する複数の選択可能な項目すなわち“戸締まり忘れ”、“電気の消し忘れ”、“裏庭への侵入”をモニタ２３の縦方向の一端部側に一部が重畳するように表示する。
【００３６】
本発明は上記実施の形態に限定されず、適宜変更して実施することができる。上記実施の形態における階層表示方法などは一例であり、本発明の効果を発揮する範囲内において種々変更して実施することが可能である。その他、本発明の目的の範囲を逸脱しない限りにおいて適宜変更して実施することが可能である。
【産業上の利用可能性】
【００３７】
本発明は、表示装置であって、制御対象及び動作内容を選択可能な項目と動画像や静止画像のコンテンツを同時に表示することができるとともに、操作性向上が図れるといった効果を有し、画面に表示されたアイテムを選択することで制御対象の選択や動作内容の選択を可能とするユーザインタフェースを備えた電子機器への適用が可能である。
【図面の簡単な説明】
【００３８】
【図１】本発明の実施の形態１に係る表示装置の概略構成を示すブロック図
【図２】図１の表示装置の操作表示を説明するための図
【図３】図１の表示装置の操作表示を説明するための図
【図４】本発明の実施の形態２に係る表示装置の操作表示を説明するための図
【図５】本発明の実施の形態２に係る表示装置の操作表示を説明するための図
【図６】本発明の実施の形態２に係る表示装置の操作表示を説明するための図
【図７】本発明の実施の形態２に係る表示装置の操作表示の応用例を説明するための図
【図８】本発明の実施例１の操作表示を説明するための図
【図９】本発明の実施例２の操作表示を説明するための図
【図１０】本発明の実施例３の操作表示を説明するための図
【図１１】従来技術を説明するための図
【図１２】従来技術を説明するための図
【符号の説明】
【００３９】
２０、２０Ａ  表示装置
２１  画像入力部
２２  記憶部
２３  モニタ
２４  表示制御部
２５  制御部
２６  入力部
【図１】
2010079767.tif 000003
【図２】
2010079767.tif 000004
【図３】
2010079767.tif 000005
【図４】
2010079767.tif 000006
【図５】
2010079767.tif 000007
【図６】
2010079767.tif 000008
【図７】
2010079767.tif 000009
【図８】
2010079767.tif 000010
【図９】
2010079767.tif 000011
【図１０】
2010079767.tif 000012
【図１１】
2010079767.tif 000013
【図１２】
2010079767.tif 000014